(57)【要約】【課題】  発光特性が向上する面光源装置及びこれを有する液晶表示装置の提供【解決手段】面光源装置は、第１方向に延長される複数の空間分割領域を有する光源本体と、光源本体の両側端部にそれぞれ形成される第１電極及び第２電極と、第１電極と第２電極との間に複数の空間分割領域と重畳されるように形成される第３電極とを含む。放電電圧を発生するインバータは第１及び第３電極に第１時間の間、放電開始電圧を印加した後、第１電極及び第２電極に放電保持電圧を印加する。従って、放電開始時空間分割領域間の相互干渉によって発生される偏流現象を除去し、放電開始電圧を減少させることができる。【選択図】図１
2005158741.tif 000002
【特許請求の範囲】
【請求項１】
第１方向に延長された複数の空間分割領域を有する光源本体と、
前記第１方向に交差する第２方向に延長して形成され、前記第１方向に対して前記光源本体の両側部にそれぞれ形成された第１及び第２電極と、
前記第１電極と第２電極との間に前記第２方向に延長されて形成され、前記複数の空間分割領域と重畳する第３電極と、
を含む、面光源装置。
【請求項２】
前記光源本体は
第１基板と、
前記第１基板と一定距離分だけ離隔されて対向する第２基板と、
前記第１と第２基板との間に配置されて前記放電空間を形成する密封部材と、
前記第１基板と第２基板との間に介在し、前記放電空間を分割して前記複数の空間分割領域を形成する空間分割部材と、
を含むことを特徴とする、請求項１記載の面光源装置。
【請求項３】
前記第１、第２及び第３電極は、前記第２基板の外側表面に形成されていることを特徴とする、請求項２記載の面光源装置。
【請求項４】
前記空間分割部材は、長さ方向の両端部のうち少なくとも一つの端部が前記密封部材と一定距離に離隔されていることを特徴とする、請求項２記載の面光源装置。
【請求項５】
前記空間分割部材の長さ方向の第１端部及び第２端部のうち、前記第１端部は前記密封部材と離隔され、前記第２端部は前記密封部材と接していることを特徴とする、請求項４記載の面光源装置。
【請求項６】
前記第２基板の内側表面に前記第２方向に延長されて形成された第４電極をさらに含むことを特徴とする、請求項５記載の面光源装置。
【請求項７】
前記第４電極の一部は、前記第２基板の外側表面に形成された前記第２電極と重畳していることを特徴とする、請求項６記載の面光源装置。
【請求項８】
前記第４電極の一部は、前記複数の空間分割部材の第１端部と重畳していることを特徴とする、請求項７記載の面光源装置。
【請求項９】
前記第１電極、第２電極及び第３電極に、放電開始電圧及び放電保持電圧を印加するためのインバータをさらに含むことを特徴とする、請求項１記載の面光源装置。
【請求項１０】
前記インバータは第１時間の間、前記第１及び第３電極に前記放電開始電圧を印加することを特徴とする、請求項９記載の面光源装置。
【請求項１１】
前記インバータは前記第１時間が経過した後、第３電極に印加された前記放電開始電圧を遮断すると同時に、前記第１及び第２電極に前記放電保持電圧を印加することを特徴とする、請求項１０記載の面光源装置。
【請求項１２】
前記放電開始電圧は前記放電保持電圧より高い電圧値を有することを特徴とする、請求項１１記載の面光源装置。
【請求項１３】
前記空間分割部材の長さ方向の第１端部及び第２端部は前記密封部材と離隔されていることを特徴とする、請求項４記載の面光源装置。
【請求項１４】
前記第２基板の内側表面に前記第２方向に延長されて形成されている第４電極及び第６電極と、
前記第２基板の外側表面に前記第２方向に延長されて形成されている第５電極と、をさらに含むことを特徴とする、請求項１３記載の面光源装置。
【請求項１５】
前記第４電極の一部及び第６電極の一部は、前記第２基板の外側表面に形成された前記第２電極及び第１電極とそれぞれ重畳していることを特徴とする、請求項１４記載の面光源装置。
【請求項１６】
前記第４電極の一部及び第６電極の一部は、前記複数の空間分割部材の第１端部及び第２端部とそれぞれ重畳していることを特徴とする、請求項１５記載の面光源装置。
【請求項１７】
前記第１、第２、第３及び第５電極に放電電圧を印加するためのインバータをさらに含むことを特徴とする、請求項１４記載の面光源装置。
【請求項１８】
前記インバータは、第１時間の間前記第３電極及び第５電極に放電開始電圧を印加することを特徴とする、請求項１７記載の面光源装置。
【請求項１９】
前記インバータは、前記第１時間が経過した後、第３電極及び第５電極に印加した放電開始電圧を遮断し、前記第１及び第２電極に放電保持電圧を印加することを特徴とする、請求項１８記載の面光源装置。
【請求項２０】
前記放電開始電圧は、前記放電保持電圧より高い電圧値を有することを特徴とする、請求項１９記載の面光源装置。
【請求項２１】
前記第１基板及び第２基板の互いに向き合う対向面それぞれに形成される第１蛍光層及び第２蛍光層をさらに含むことを特徴とする、請求項２記載の面光源装置。
【請求項２２】
第１方向に延長された複数の空間分割領域を有する光源本体と、
第２方向に延長して形成され、第１方向に対して前記光源本体の外側表面の両側部にそれぞれ形成された第１電極及び第２電極と、
前記空間分割領域と重畳され、前記第１電極と第２電極との間に第２方向に延長されて形成された第３電極と、
を含む面光源装置と、
前記面光源装置から出射される光を用いて映像を表示する液晶表示パネルと、
前記第１、第２及び第３電極に、放電開始電圧及び放電保持電圧を印加するためのインバータと、
を含む、液晶表示装置。
【請求項２３】
前記光源本体は、
第１基板と、
前記第１基板と一定の距離分だけ離隔されて対向する第２基板と、
前記第１基板と第２基板との間に配置されて前記放電空間を形成する密封部材と、
前記第１基板と第２基板との間に介在し前記放電空間を分割して前記複数の空間分割領域を形成する空間分割部材とを含み、
前記第１、第２及び第３電極は前記第２基板の外側表面に形成されていることを特徴とする、請求項２２記載の液晶表示装置。
【請求項２４】
前記空間分割部材は第１方向に延長され、長さ方向の両端部のうち少なくとも一つの端部は密封部材と一定の距離分だけ離隔していることを特徴とする、請求項２３記載の液晶表示装置。
【請求項２５】
前記第１方向と第２方向とは交差していることを特徴とする、請求項２４記載の液晶表示装置。
【請求項２６】
前記インバータは第１時間の間、前記第１及び第３電極に放電開始電圧を印加し、前記第１時間が経過すると第１及び第３電極に印加していた放電開始電圧を遮断して、前記放電開始電圧より低い電圧値を有する放電保持電圧を前記第１及び第２電極に印加することを特徴とする、請求項２２記載の液晶表示装置。
【請求項２７】
前記第２基板の内側表面に前記第２電極と重畳するように形成された第４電極をさらに含むことを特徴とする、請求項２３記載の液晶表示装置。
【請求項２８】
前記第４電極の一部は前記複数の空間分割部材と重畳していることを特徴とする、請求項２７記載の液晶表示装置。
【発明の詳細な説明】
【技術分野】
【０００１】
本発明は面光源装置及びこれを有する液晶表示装置に関する。
【背景技術】
【０００２】
最近、情報処理装置は多様な形態、多様な機能、さらに早くなった情報処理速度を有するように急速に発展されつつある。このような情報処理装置において処理された情報は電気的信号形態を有する。従って、使用者は情報処理装置から処理された情報を肉眼で確認するために表示装置を必要とする。
【０００３】
このような表示装置のうち、液晶表示装置は液晶を利用して映像を表示する平板表示装置の一つとして、他の表示装置に比べて薄くて軽く、低い消費電力及び駆動電圧を有するという長所を有し、産業全般に渡って幅広く使用されている。
【０００４】
このような液晶表示装置は、映像を表示するための液晶表示パネルが自体的に発光することのできない非発光性素子であるため、別途に光源を提供するバックライトアセンブリが必要とする。
【０００５】
従来のバックライトアセンブリは光源の位置によって、大きくエッジ型と直下型とに分類される。エッジ型は、透明導光板の側面に光源を位置させ、導光板の一面を利用して光を多重反射させることで得られた面光源を液晶表示パネルに出射する方式である。一方、直下型は、複数の光源を液晶表示パネルの直下部に位置させ光源の全面に拡散板を配置し、光源の背面には反射板を配置して高原から発散された光を反射、拡散させる方式である。
【０００６】
直下型は高い輝度を得ることができるので、高輝度が要求されるバックライトアセンブリに適合しているが、輝度均一度が低い短所を有する。これに比べて、エッジ型は輝度が低いが輝度均一度が高いという長所を有する。
【０００７】
このような方式のバックライトアセンブリには、光源として円柱形状を有する冷陰極線管方式ランプまたはドット形状を有する発光ダイオードが主に使用される。冷陰極線管方式ランプは輝度が高くて寿命が長く、白熱灯に比べて非常に小さい発熱量を有する長所を有する。一方、発光ダイオードは小型及び低消費電力の長所を有する。しかし、従来の冷陰極線管方式ランプまたは発光ダイオードを用いるバックライトアセンブリは輝度が低く、輝度均一度が脆弱な短所を有する。
【０００８】
従って、冷陰極線管方式ランプまたは発光ダイオードを光源として有するバックライトアセンブリは輝度を高め輝度均一度を向上させるために導光板、拡散部材及びプリズムシートなどのような光学部材を含む。これによって、冷陰極線管方式ランプまたは発光ダイオードを使用する液晶表示装置は、光学部材による嵩、重さ及び製造原価が大きく増加される問題点を有する。
【発明の開示】
【発明が解決しようとする課題】
【０００９】
このような問題点を解消するために、最近では平板形態の面光源装置に対する開発が進行されつつある。面光源装置は放電空間を形成する光源本体と、前記光源本体の内部に配置されて前記放電空間を複数の放電領域に区分するための複数の空間分割部材とを含む。また、面光源装置は、前記光源本体の両側部の内部または外部に形成され、外部から印加された放電電圧によって前記放電空間内にプラズマを発生させるための電極を含む。
【００１０】
しかし、従来の面光源装置は放電開始時、放電領域間の相互干渉による偏流現象が発生される。即ち、空間分割部材のエッジ部分に電荷が集中されて放電がいずれか一つの放電領域に傾く現象が発生されて全面発光を阻害する問題点がある。また、面光源装置が大型化されることにつれて、初期放電のための放電開始電圧が増加する問題点がある。
【００１１】
従って、本発明はこのような問題点を勘案したもので、本発明の第１目的は放電領域間の相互干渉によって発生される偏流現象を除去して発光特性を向上させ、放電開始電圧を減少させることができる面光源装置を提供することにある。本発明の第２目的は前記のような面光源装置を光源とする液晶表示装置を提供することにある。
【課題を解決するための手段】
【００１２】
上記課題を解決するために、本発明１は、第１方向に延長された複数の空間分割領域を有する光源本体と、前記第１方向に交差する第２方向に延長して形成され、前記第１方向に対して前記光源本体の両側部にそれぞれ形成された第１及び第２電極と、前記第１電極と第２電極との間に前記第２方向に延長されて形成され、前記複数の空間分割領域と重畳する第３電極とを含む面光源装置を提供する。これにより、放電領域間の相互干渉によって発生される偏流現象を除去して発光特性を向上させ、放電開始電圧を低くすることができる。
【００１３】
本発明２は、前記発明１において、前記光源本体が、第１基板と、前記第１基板と一定距離分だけ離隔されて対向する第２基板と、前記第１基板と第２基板との間に配置されて前記放電空間を形成する密封部材と、前記第１基板と第２基板との間に介在し、前記放電空間を分割して前記複数の空間分割領域を形成する空間分割部材と、を含む面光源装置を提供する。
【００１４】
本発明３は、前記発明２において、前記第１、第２及び第３電極は、前記第２基板の外側表面に形成されていることを特徴とする面光源装置を提供する。
【００１５】
本発明４は、前記発明２において、前記空間分割部材が、長さ方向の両端部のうち少なくとも一つの端部が前記密封部材と一定距離に離隔される面光源装置を提供する。そして、本発明５は、前記発明４において、前記空間分割部材が、第１端部及び第２端部のうち、前記第１端部は前記密封部材と離隔され、前記第２端部は前記密封部材と接している面光源装置を提供する。これにより、前記放電ガスは早い時間内にすべての空間分割領域２４０内に均一に分布することができる。
【００１６】
本発明６は、前記発明５において、前記第２基板の内側表面に前記第２方向に延長されて形成された第４電極をさらに含む面光源装置を提供する。また、本発明７は、前記発明６において、前記第４電極の一部が、前記第２基板の外側表面に形成された前記第２電極と重畳している面光源装置を提供する。さらに本発明８は、前記発明７において、前記第４電極の一部が、前記複数の空間分割部材の第１端部と重畳している面光源装置を提供する。
【００１７】
本発明９は、前記発明１において、前記第１電極、第２電極及び第３電極に、放電開始電圧及び放電保持電圧を印加するためのインバータをさらに含む面光源装置を提供する。本発明１０は、前記発明９において、前記インバータは第１時間の間、前記第１及び第３電極に前記放電開始電圧を印加する面光源装置を提供する。さらに、本発明１１は、前記発明１０において、前記インバータは前記第１時間が経過した後、第３電極に印加された前記放電開始電圧を遮断すると同時に、前記第１及び第２電極に前記放電保持電圧を印加する面光源装置を提供する。これにより、放電開始の際、発生される隣接する空間分割領域の間の相互干渉による偏流現象を除去することができる。また、放電開始のための第１及び第３電極間の間隔を縮めるが減少することで、放電開始電圧を低くすることができる。
【００１８】
本発明１２は、前記発明１１において、前記放電開始電圧は前記放電保持電圧より高い電圧値を有する面光源装置を提供する。
【００１９】
本発明１３は、前記発明４において、前記空間分割部材の長さ方向の第１端部及び第２端部は前記密封部材と離隔されている面光源装置を提供する。また、本発明１４は、前記発明１３において、前記第２基板の内側表面に前記第２方向に延長されて形成されている第４電極及び第６電極と、前記第２基板の外側表面に前記第２方向に延長されて形成されている第５電極と、をさらに含む面光源装置を提供する。これにより、放電ガスを早い時間内に全ての空間分割領域２４０の均一に分布させることができる。
【００２０】
本発明１５は、前記発明１４において、前記第４電極の一部及び第６電極の一部が、前記第２基板の外側表面に形成された前記第２電極及び第１電極とそれぞれ重畳している面光源装置を提供する。また、本発明１６は、前記発明１５において、前記第４電極の一部及び第６電極の一部が、前記複数の空間分割部材の第１端部及び第２端部とそれぞれ重畳している面光源装置を提供する。さらに、本発明１７は、前記発明１４において、前記第１、第２、第３及び第５電極に放電電圧を印加するためのインバータをさらに含む面光源装置を提供する。
【００２１】
本発明１８は、前記発明１７において、面光源装置の前記インバータは、第１時間の間前記第３電極及び第５電極に放電開始電圧を印加することを特徴とする面光源装置を提供する。これにより、放電開始時に発生する隣接する空間分割領域２４０の間の相互干渉による偏流現象を除去することができる。また、放電開始のための第３電極と第５電極との間の間隔を縮めることで放電開始電圧を低くすることができる。
【００２２】
そして、本発明１９は、前記発明１８において、前記インバータが、前記第１時間が経過した後、第３電極及び第５電極に印加した放電開始電圧を遮断し、前記第１及び第２電極に放電保持電圧を印加することを特徴とする面光源装置を提供する。そして、本発明２０は、前記発明１９において、前記放電開始電圧が、前記放電保持電圧より高い電圧値を有する面光源装置を提供する。これにより、放電保持時、プラズマによる電流が第１及び第２端部に沿って隣接する空間分割領域に流れることを防止する。また、各空間分割領域の電流を均等に分配して放電保持時に発生される偏流現象を除去することができる。
【００２３】
本発明２１は、前記発明２において、前記第１基板及び第２基板の互いに向き合う対向面それぞれに形成される第１蛍光層及び第２蛍光層をさらに含む面光源装置を提供する。このような第１及び第２蛍光層は、放電空間内の放電ガスに起因して発生された紫外線を可視光線に変換させる役割を持つ。
【００２４】
また、前記課題を解決するために、本発明２２は、第１方向に延長された複数の空間分割領域を有する光源本体と、第２方向に延長して形成され、第１方向に対して前記光源本体の外側表面の両側部にそれぞれ形成された第１電極及び第２電極と、前記空間分割領域と重畳され、前記第１電極と第２電極との間に第２方向に延長されて形成された第３電極と、を含む面光源装置と、前記面光源装置から出射される光を用いて映像を表示する液晶表示パネルと、前記第１、第２及び第３電極に、放電開始電圧及び放電保持電圧を印加するためのインバータと、含む液晶表示装置を提供する。
【００２５】
本発明２３は、前記発明２２において、前記光源本体が、第１基板と、前記第１基板と一定の距離分だけ離隔されて対向する第２基板と、前記第１基板と第２基板との間に配置されて前記放電空間を形成する密封部材と、前記第１基板と第２基板との間に介在し前記放電空間を分割して前記複数の空間分割領域を形成する空間分割部材とを含み、前記第１、第２及び第３電極は前記第２基板の外側表面に形成されていることを特徴とする液晶表示装置を提供する。また、本発明２４は、前記発明２３において、前記空間分割部材が第１方向に延長され、長さ方向の両端部のうち少なくとも一つの端部は密封部材と一定の距離分だけ離隔される液晶表示装置を提供する。
【００２６】
本発明２５は、前記発明２４において、前記第１方向と第２方向とは交差していることを特徴とする液晶表示装置を提供する。また、本発明２６は、前記発明２２において、前記インバータが第１時間の間、前記第１及び第３電極に放電開始電圧を印加し、前記第１時間が経過すると第１及び第３電極に印加していた放電開始電圧を遮断して、前記放電開始電圧より低い電圧値を有する放電保持電圧を前記第１及び第２電極に印加する液晶表示装置を提供する。従って、放電開始の際、隣接する空間分割領域の間の相互干渉による偏流現象を除去することができる。また、放電開始のための第１及び第３電極間の間隔を縮めることで、放電開始電圧を低くすることができる。
【００２７】
本発明２７は、前記発明２３において、前記第２基板の内側表面に前記第２電極と重畳するように形成された第４電極をさらに含む液晶表示装置を提供する。また、本発明２８は、前記発明２７において、前記第４電極の一部は前記複数の空間分割部材と一部が重畳していることを特徴とする液晶表示層装置を提供する。
【発明の効果】
【００２８】
このような面光源装置及びこれを有する液晶表示装置によると、放電領域間の相互干渉によって発生される偏流現象を除去して発光特性を向上させ、放電開始電圧を低くすることができる。
【発明を実施するための最良の形態】
【００２９】
以下、図面を参照して本発明の望ましい一実施例をより詳細に説明する。
＜面光源装置の実施例＞
［第１実施例］
図１は本発明の第１実施例による面光源装置を示す部分切開斜視図である。図２は図１のＡ−Ａ’線に沿って切断した断面図である。図３は図１のＢ−Ｂ’線に沿って切断した断面図である。図２及び図３においては図１の面光源装置が逆に図示されている。
【００３０】
図１、図２及び図３に示すように、本発明の第１実施例による面光源装置１００は、光源本体２００と、空間分割部材３００と、第１電極４１０と、第２電極４２０と第３電極４３０とを含む。光源本体２００は、第１基板２１０と、第１基板２１０と一定の間隔を置いて対向配置された第２基板２２０と、第１基板２１０と第２基板２２０との間に配置されて放電空間を形成する密封部材２３０とを含む。第１及び第２基板２１０、２２０は、可視光線は透過させるが紫外線は遮断するガラス基板である。一般的に、第１基板及び第２基板２１０、２２０はほぼ同じ厚さに作製される。しかし、第１基板２１０の厚さは第２基板２２０の厚さより薄く作製してもよい。
【００３１】
密封部材２３０は、第１基板と第２基板の外郭との間を密封して放電空間を形成する。このとき、密封部材２３０は第１基板２１０または第２基板２２０と一体に形成され得る。
【００３２】
空間分割部材３００は光源本体２００の放電空間内に配置され、前記放電空間を複数の放電領域２４０に分割するために、少なくとも一つ以上が互いに並んで第２方向に等間隔に配置される。そして、各空間分割部材３００は第１方向に延長される棒形状を有し、第１基板２１０と第２基板２２０に上下部が密着される。また、各空間分割部材３００は前記長さ方向の両端部のうち、少なくとも一つの端部は密封部材２３０の内側面と一定距離分だけ離隔されるように形成されるための連結通路２５０に連結されている。これは、前記放電空間内部に存在する放電ガスが複数の放電領域２４０内で均一に分布されることができるようにするためである。
【００３３】
一方、密封部材２３０は空間分割部材３００と互いに異なる材質からなることができるが、空間分割部材３００の形成の際、同じ材質からなることもできる。
【００３４】
第１及び第２電極４１０、４２０は、光源本体２００の第１方向に対して両側部に、そして前記第１方向に対して垂直な第２方向に延長されてそれぞれ形成される。選択的に、第１及び第２電極４１０、４２０は前記空間分割部材３００と鋭角を成すように配置することができる。本実施例においては、第１及び第２電極４１０、４２０は第２基板２２０の外側表面のみに形成されるが、第１基板２１０の外側表面にも共に形成されることができ、また、第１基板２１０の外周に形成されてもよい。このような第１及び第２電極４１０、４２０には、前記放電空間内部の放電状態を保持するための放電保持電圧が印加される。
【００３５】
第３電極４３０は、第１電極と第２電極との間に、かつ前記第２方向に延長して形成される。第３電極４３０は第２基板２２０の外側表面に形成され、複数の空間分割部材３００と重畳されるように形成される。第１及び第３電極４１０、４３０には、前記放電空間内部の放電を開始するための放電開始電圧が印加される。
【００３６】
ここで、第１、第２及び第３電極４１０、４２０、４３０は導電性の優れた材質、例えば、Ｃｕ、Ｎｉ、アルミニウムテープ、銀ペイストなどを利用して形成され、外側表面から前記放電空間内部にエネルギー供給しなければならないので、十分なエネルギーを供給することができるように十分な表面積を有するように形成される。
【００３７】
一方、本発明の第１実施例による面光源装置１００は、光源本体２００の内部に形成される第４電極４４０をさらに含む。第４電極４４０は第２基板２２０の内側表面に前記第２方向に延長されるように形成される。第４電極４４０は第２基板２２０を挟んで第２電極４２０と一部または全体が重畳されるように形成される。また、第４電極４４０は、図３に示すように連結通路２５０及び複数の空間分割部材３００と一部が重畳されるように形成される。このとき、第４電極４４０は外部電源が印加されないフローティング電極である。
【００３８】
また、本発明の第１実施例による面光源装置１００は第１及び第２基板２１０、２２０の互いに向き合う対向面にそれぞれ形成された第１及び第２蛍光層２６０、２７０をさらに含む。第１及び第２蛍光層２６０、２７０は空間分割部材３００が配置された領域を除いて第１及び第２基板２１０、２２０の対向面それぞれに薄い棒形態に形成される。第３蛍光層（図示せず）が空間分割部材３００の側面に形成され得る。このような第１及び第２蛍光層２６０、２７０は放電空間内の放電ガスに起因して発生された紫外線を可視光線に変換させる。
【００３９】
また、面光源装置１００は第２基板２２０と第２蛍光層２７０との間に形成される反射層（図示せず）をさらに含むことができる。前記反射層は第１及び第２蛍光層２６０、２７０によって発生された可視光線を第１基板２１０側へ反射させる。
【００４０】
また、面光源装置１００は第１基板２１０と第１蛍光層２６０との間及び第２基板２２０と前記反射層との間にそれぞれ形成される保護層（図示せず）をさらに含むこができる。前記保護層は、第１及び第２基板２１０、２２０と放電空間に注入される放電ガスの主成分である水銀との化学的反応を防止する役割を持つ。
【００４１】
図４は、図１に示された面光源装置の空間分割部材の配置を示す平面図である。図４に示すように、空間分割部材３００は、前記した第１基板２１０と第２基板２２０との間に少なくとも一つ以上が介在され、第１基板２１０と第２基板２２０との間に形成された放電空間を複数の空間分割領域２４０に分割する。空間分割部材３００は第１基板２１０または第２基板２２０に形成されることができるが、本実施例においては第２基板２２０に形成される。
【００４２】
各空間分割部材３００は、第２方向に対して互いに第１距離ｄ１分だけ離隔されて配置される。そして、各空間分割部材３００は第１方向に延長して第１長さＬ１を有する棒形状に形成される。ここで、第１長さＬ１は、密封部材２３０の第１内側面２３２と第２内側面２３４との間に形成された第１幅Ｗ１より短い。
【００４３】
各空間部材３００は第１内側面２３２と向き合う第１端部３００ａと、第２内側面２３４と向き合う第２端部３００ｂとを有する。第２端部３００ｂは密封部材２３０の第２内側面２３４と密着され、第１端部３００ａは第１内側面２３２と第２距離ｄ２分だけ離隔されて放電ガスの移動のための連結通路２５０を形成する。このような構造の連結通路２５０を通じて、前記放電ガスは早い時間内にすべての空間分割領域２４０内に均一に分布することができる。
【００４４】
図５は図１に示された面光源装置の動作を説明するための概念図である。図５に示すように、本発明の第１実施例による面光源装置１００は放電開始電圧及び放電保持電圧などの放電電圧を発生させるインバータ５００をさらに含む。
【００４５】
第１方向に対して第２基板２２０の両側部には、第１及び第２電極４１０、４２０が互いに離れて配置され、第３電極４３０は、第１電極４１０と第２電極４２０との間に第２電極４２０の近くに、所定の距離離れて配置される。光源本体２００の内部に形成された放電空間には、放電を手伝うための放電ガス（図示せず）が存在する。前記放電ガスはＨｇ、Ｎｅなどを含み、放電電圧を低くするペニング効果を得るために微量のＡｒ、Ｋｒ、Ｘｅなどをさらに含むことができる。
【００４６】
このような状態で、インバータ５００は第１及び第３電極４１０、４３０に放電開始電圧を印加する。一例として第３電極４３０には約１〜２ｋＶの交流電圧が印加され、第１電極４１０には第３電極４３０に印加された交流電圧と同一の電圧レベルを有するが位相が反対である交流電圧が印加される。また、第１電極４１０または第３電極４３０のうち、いずれか一つを接地させ、残りの電極に交流電圧を印加してもよい。
【００４７】
第１電極及び第３電極４１０、４３０に印加された前記放電開始電圧によって、第１及び第３電極４１０、４３０に隣接する放電空間にはプラズマ放電がそれぞれ発生される。このとき、第３電極４３０は複数の空間分割部材３００と重畳される領域に位置するので、第３電極４３０の周辺から発生されたプラズマは、偏流現象が発生できない空間分割部材３００の間の各空間分割領域２４０内に均一に発生される。従って、放電開始の際、隣接する空間分割領域２４０の間の相互干渉による偏流現象を除去することができる。また、放電開始のための第１及び第３電極４１０、４３０間の間隔を縮めることで、放電開始電圧を低くすることができる。
【００４８】
前記放電開始電圧を印加してから第１時間ｔ１が経過した後、インバータ５００は第３電極４３０に印加された前記放電開始電圧を遮断すると同時に、第１及び第２電極４１０、４２０に放電保持電圧を印加する。ここで、放電開始電圧は、放電保持電圧よりも高い電圧値を有する。一実施例として、第１電極４１０には約６００〜７００Ｖの交流電圧が印加され、第２電極４２０には第１電極４１０に印加された交流電圧と同一の電圧レベルを有するが位相が反対である交流電圧が印加される。
【００４９】
第１及び第２電極４１０、４２０に印加された前記放電保持電圧によって、放電開始の際、発生されたプラズマは全ての放電空間に拡張され、保持される。
【００５０】
一方、第２基板２２０の内側表面には第４電極４４０が形成される。第４電極４４０は空間分割部材３００の第１端部３００ａ及び連結通路２５０と重畳されるように形成される。第４電極４４０はプラズマ保持時、プラズマによる電流が第１端部３００ａに沿って隣接する空間分割領域２４０に流れることを防止する。また、第２電極４２０と第４電極４４０との間に介在された第２基板２２０が電流量制御コンデンサ役割をすることで、各空間分割領域２４０の電流を均等に分配して放電保持の際、発生される偏流現象を除去することができる。
［実施例２］
図６は本発明の第２実施例による面光源装置の動作を説明するための概念図である。本実施例において、第３電極４３０の位置を除いた残りの構成は図５の示された面光源装置１００と同一であるので、同一の構成要素に対しては同一の名称及び図面符号を付与する。
【００５１】
図６に示すように、第１方向に対して第２基板２２０の両側部には第１及び第２電極４１０、４２０が互いに離れて配置され、第３電極４３０は第１電極４１０と第２電極４２０との間でかつ第１電極４１０近くに、所定の距離離れて配置される。
【００５２】
このような状態で、インバータ５００は第１及び第３電極４１０、４３０に放電開始電圧を印加する。第１及び第３電極４１０、４３０に印加された前記放電開始電圧によって、第１及び第３電極４１０、４３０に隣接する放電空間にはプラズマ放電がそれぞれ発生される。このとき、第３電極４３０は複数の空間分割部材３００と重畳される領域に位置するので、放電開始時に発生される、隣接する空間分割領域２４０の間の相互干渉による偏流現象を除去することができる。また、放電開始のための第１電極４１０と第３電極４３０との間の間隔が図５に示された第１実施例よりさらに減少されることで、放電開始電圧をさらに低くすることができる。
【００５３】
前記放電開始電圧を印加してから第１時間ｔ１が経過した後、インバータ５００は第３電極４３０に印加していた前記放電開始電圧を遮断すると同時に、第１及び第２電極４１０、４２０に放電保持電圧を印加する。第１及び第２電極４１０、４２０に印加された前記放電保持電圧によって、放電開始時発生されたプラズマはすべての空間に拡張され、保持される。
［第３実施例］
図７は本発明の第３実施例による面光源装置の空間分割部材の配置を示す平面図である。図８は本発明の第３実施例による面光源装置の動作を説明するための概念図である。
【００５４】
図７及び図８に示すように、放電空間を複数の空間分割領域２４０に分割するために少なくとも一つ以上の空間分割部材３００が第２基板２２０に形成される。
【００５５】
各空間分割部材３００は、第１方向に延長して形成されており、第２方向に対して相互間に第１距離ｄ１分だけ離隔されて配置される。そして、各空間分割部材３００の第１端部３００ａは、密封部材２３０の第１内側面２３２と第２距離ｄ２分だけ離隔されて放電ガスの移動のための第１連結通路２５０ａを形成する。一方、各空間分割部材３００の第２端部３００ｂは、密封部材２３０の第２内側面２３４と第３距離ｄ３分だけ離隔されて放電ガスの移動のための第２連結通路２５０ｂを形成する。第３距離ｄ３は第２距離ｄ２と同一に形成されることが望ましい。
【００５６】
このように、空間分割部材３００の第１方向に対して両端に存在する第１及び第２端部３００ａ、３００ｂ各々に、第１及び第２連結通路２５０ａ、２５０ｂを形成することで、放電ガスを早い時間内に全ての空間分割領域２４０の均一に分布させることができる。
【００５７】
一方、第２基板２２０の外側表面には第１、第２、第３及び第５電極４１０、４２０、４３０、４５０が、第２方向に延長されるように配置され、第２基板２２０の内側表面には第４及び第６電極４４０、４６０が、第２方向に延長されるように配置される。そして、第４電極は第２基板を介して第２電極と一部が重畳されるように形成され、第６電極は第２基板を介して第１電極と一部が重畳されるように形成されている。第１及び第２電極４１０、４２０は、第１方向における第２基板２２０の両側部にそれぞれ配置される。第３電極４３０及び第５電極４５０は第１電極と第２電極４２０との間に、各々が所定距離だけ離隔されて配置され、空間分割部材３００と重畳されるように中央部よりに配置される。第４電極４４０は、空間分割部材３００の第１端部３００ａ及び第１連結通路２５０ａと重畳されるように配置され、第６電極４６０は、空間分割部材３００の第２端部３００ｂ及び第２連結通路２５０ｂと重畳されるように配置される。
【００５８】
このような状態で、インバータ５００は放電開始のための第１時間ｔ１の間、第３及び第５電極４３０、４５０に放電開始電圧を印加する。第３及び第５電極４３０、４５０に印加された放電開始電圧によって、第３及び第５電極４３０、４５０に隣接する放電空間にはプラズマ放電がそれぞれ発生する。このとき、第３及び第５電極４３０、４５０は複数の空間分割部材３００と重畳される領域に位置するので、放電開始時に発生する隣接する空間分割領域２４０の間の相互干渉による偏流現象を除去することができる。また、放電開始のための第３電極４３０と第５電極４５０との間の間隔を縮めることで放電開始電圧を低くすることができる。
【００５９】
第１時間ｔ１経過後、インバータ５００は第３電極４３０及び第５電極４５０に印加した放電開始電圧を遮断し、第１及び第２電極４１０、４２０に放電保持電圧を印加する。第１及び第２電極４１０、４２０印加された前記放電保持電圧によって、放電開始時発生されたプラズマはすべての放電空間に拡張され、保持される。ここで、放電開始電圧は、放電保持電圧よりも高い電圧値を有する。
【００６０】
第４及び第６電極４４０、４６０は放電保持時、プラズマによる電流が第１及び第２端部３００ａ、３００ｂに沿って隣接する空間分割領域２４０に流れることを防止する。また、第１電極４１０と第６電極４６０との間、及び第２電極４２０と第４電極４４０との間に介在された第２基板２２０が電流量制御コンデンサの役割をすることで、各空間分割領域２４０の電流を均等に分配して放電保持時に発生される偏流現象を除去することができる。
＜液晶表示装置の実施例＞
［第４実施例］
図９は本発明の第４実施例による液晶表示装置を示す分解斜視図である。図９に示すように、液晶表示装置１０００は、面光源装置１００と、表示ユニット７００と、収納容器８００と、インバータ５００とを含む。本実施例に採用された面光源装置１００は図１に示された面光源装置と同一であるので、その重複された説明は省略する。
【００６１】
さらに、表示ユニット７００は、映像を表示する液晶表示パネル７１０と、液晶表示パネル７１０を駆動するための駆動信号を提供するデータ及びゲート印刷回路基板７２０、７３０とを含む。データ及び印刷回路基板７２０、７３０はデータテープキャリアパッケージ（以下、ＴＣＰと称する）７４０及びゲートＴＣＰ７５０を通じて液晶表示パネル７１０と電気的に連結される。
【００６２】
液晶表示パネル７１０は、薄膜トランジスタ基板７１２と、薄膜トランジスタ基板７１２と対向して結合されるカラーフィルター基板７１４と、薄膜トランジスタ基板７１２とカラーフィルター基板７１４との間に介在された液晶７１６とを含む。
【００６３】
薄膜トランジスタ基板７１２はスイッチング素子薄膜トランジスタ（図示せず）がマトリックス状に形成された透明なガラス基板である。前記薄膜トランジスタのソース及びゲート端子にはそれぞれデータライン及びゲートラインが連結され、ドレーン端子には透明な導電性材質からなる画素電極（図示せず）が連結される。
【００６４】
カラーフィルター基板７１４はカラー画素であるＲＧＢ画素（図示せず）が薄膜工程によって形成された基板である。カラーフィルター基板７１４には透明な導電性材質からなる共通電極（図示せず）が形成される。
【００６５】
収納容器８００は底面８１０及び底面８１０のエッジ部に収納空間を形成するために形成された複数の側壁８２０からなる。収納容器８００は、面光源装置１００及び液晶表示パネル７１０が流動されないように固定させる。底面８１０は面光源装置１００が収納されるのに十分な底面積を有し、面光源装置１００と同一の形状を有することが望ましい。本実施例において、底面８１０は面光源装置１００と同一に矩形プレート形状を有する。側壁８２０は面光源装置１００が外部に外れないように底面８１０のエッジ部から垂直に延長される。
【００６６】
インバータ５００は収納容器８００の外部に配置され、面光源装置１００を駆動するための放電電圧を発生させる。前記放電電圧は、初期放電のための放電開始電圧と放電状態の保持のための放電保持電圧とを含む。インバータ５００から発生された放電電圧は、第１、第２及び第３電源印加線５１０、５２０、５３０を通じて面光源装置１００に印加される。即ち、第１電源印加線５１０は面光源装置１００の第１電極４１０に連結され、第２電源印加線５２０は第２電極４２０に連結され、第３電源印加線５３０は第３電極４３０に連結される。
【００６７】
従って、前記放電開始電圧は、第１及び第３電源印加線５１０、５３０を通じて第１及び第３電極４１０、４３０に印加され、前記放電保持電圧は第１及び第２電源印加線５２０、５３０を通じて第１及び第２電極４１０、４２０に印加される。一方、第１、第２及び第３電源印加線５１０、５２０、５３０は第１、第２及び第３電極４１０、４２０、４３０に直接連結されることができるが、別途の連結部材（図示せず）を用いて第１、第２及び第３電極４１０、４２０、４３０にそれぞれ連結してもよい。
【００６８】
本発明の第４実施例による液晶表示装置１００は、トップシャーシ９００と、少なくとも一枚の光学シート９５０とをさらに含む。トップシャーシ９００は、液晶表示パネル７１０のエッジ部を取り囲みながら収納容器８００と結合される。トップシャーシ９００は外部衝撃による液晶表示パネル７１０の破損を防止すると共に、液晶表示パネル７１０が収納容器８００から外れることを防止する。
【００６９】
光学シート９５０は、面光源装置１００から出射される光の輝度及び輝度均一性を向上させる。従って、光学シート９５０は光の拡散のための拡散シートまたは光の集光のためのプリズムシートを含む。
【００７０】
このような面光源装置及びこれを有する液晶表示装置によると、空間分割部材と重畳されるように形成された電極に放電開始電圧を印加することで、放電開始時に空間分割領域間の相互干渉によって発生される偏流現象を除去し、放電開始電圧を低くすることができる。また、放電空間内部に空間分割部材及び放電ガスの移動のための連結通路と一部が重畳されるようにフローティング電極を形成することで、放電保持時に空間分割領域間の相互干渉によって発生される偏流現象を除去することができる。
【００７１】
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００７２】
【図１】本発明の第１実施例による面光源装置を示す部分切開斜視図である。
【図２】図１のＡ−Ａ’線に沿って切断した断面図である。
【図３】図１のＢ−Ｂ’線に沿って切断した断面図である。
【図４】図１に示された面光源装置の空間分割部材の配置を示す平面図である。
【図５】図１に示された面光源装置の動作を説明するための概念図である。
【図６】本発明の第２実施例による面光源装置の動作を説明するための概念図である。
【図７】本発明の第３実施例による面光源装置の空間分割部材の配置を示す平面図である。
【図８】本発明の第３実施例による面光源装置の動作を説明するための概念図である。
【図９】本発明の第４実施例による液晶表示装置を示す分解斜視図である。
【符号の説明】
【００７３】
１００      面光源装置
２００      光源本体
２１０      第１基板
２２０      第２基板
２３０      密封部材
２５０ａ      第１連結通路
２５０ｂ      第２連結通路
２６０      第１蛍光層
２７０      第２蛍光層
３００      空間分割部材
３００ａ      第１端部
３００ｂ      第２端部
４１０      第１電極
４２０      第２電極
４３０      第３電極
４４０      第４電極
５００      インバータ
７００      表示ユニット
７１０      液晶表示パネル
７１２      薄膜トランジスタ基板
７１４      カラーフィルター基板
７１６      液晶
７２０      データ印刷回路基板
７３０      ゲート印刷回路基板
８００      収納容器
８１０      底面
８２０      側壁
９００      トップシャーシ
９５０      光学シート
１０００      液晶表示装置
【図１】
2005158741.tif 000003
【図２】
2005158741.tif 000004
【図３】
2005158741.tif 000005
【図４】
2005158741.tif 000006
【図５】
2005158741.tif 000007
【図６】
2005158741.tif 000008
【図７】
2005158741.tif 000009
【図８】
2005158741.tif 000010
【図９】
2005158741.tif 000011